(57)【要約】 【課題】符号化処理系統に過剰な負荷が発生せず、短時間に現用・予備の両系統の書込記憶、及びプレビューを済ますことが可能な冗長構成の番組送出サーバシステム、ビデオサーバ、および素材収録方法を提供する。【解決手段】現用系のビデオサーバ１Ａは、記憶したコンテンツの圧縮符号化データを記憶装置Ｓａから読出してバスＢｄからＤＥＣＤｎをバイパスして出力し、マイグレーションネットワークＭＮを介して予備系のビデオサーバ１Ｂへファイル転送する。ビデオサーバ１Ｂは、転送されたファイルをＥＮＣＥ１をバイパスしてバスＢｅを通して記憶装置Ｓｂへ書込記憶する。そして、ビデオサーバ１Ｂの記憶装置Ｓｂから読出したファイルを復号したベースバンドビデオ信号をディスプレイＭｄでプレビューする。【選択図】  図１
2011029937.tif 000002
【特許請求の範囲】
【請求項１】
それぞれが、入力される放送番組のベースバンドビデオ信号を圧縮符号化データに変換する符号化装置と、前記圧縮符号化データを記憶して収録する記憶装置と、前記圧縮符号化データをベースバンドビデオ信号に復号する復号装置と、前記各装置を監視制御するＣＰＵとを有する一方が現用系、他方が予備系となるビデオサーバを備え、各々のビデオサーバが前記記憶装置から読出した前記圧縮符号化データを前記復号して送出する２重系統の番組送出サーバシステムにおいて、
前記両ビデオサーバの間で前記圧縮符号化データを伝送する符号化データ伝送手段と、
前記符号化装置が出力するデータを自らの記憶装置に書込み記憶するデータとして伝送する書込み専用の書込バスと、自らの記憶装置から読出されるデータを前記復号装置へ伝送する読出し専用の読出バスと、前記入力されるベースバンドビデオ信号を圧縮符号化データに変換して前記書込バスへ出力する前記符号化装置と、自らの記憶装置へ前記書込バスから入力される前記圧縮符号化データを書込・記憶して収録する制御と、前記記憶した圧縮符号化データを直ちに読出して前記読出しバスに出力する制御と、前記読出しバスから前記復号装置に入力する圧縮符号化データを復号せずバイパスして前記符号化データ伝送手段に出力して予備系のビデオサーバに向けて送信する制御とを行うＣＰＵと、前記読出しバスから入力するデータを前記バイパスして前記出力する復号バイパス手段を有する前記復号装置とを備える現用系ビデオサーバと、
前記同様の書込バスおよび読出バスと、前記符号化装置に前記符号化データ伝送手段から受信する前記圧縮符号化データを符号化せずバイパスして前記書込バスに出力することにより自らの記憶装置へ書込・記憶して収録する制御とを行うＣＰＵと、前記受信する圧縮符号化データを前記バイパスして前記書込バスに出力する符号化バイパス手段を有する前記符号化装置とを、備える予備系ビデオサーバとを
具備することを特徴とする番組送出サーバシステム。
【請求項２】
前記番組送出サーバシステムは、
更に主制御装置と、前記主制御装置と両前記ビデオサーバのＣＰＵとの間で情報を伝送する制御情報伝達手段と、前記復号装置から出力されるベースバンドビデオ信号を受信して表示するモニタ表示手段とを備え、
前記主制御装置から前記制御情報伝達手段を介して放送番組コンテンツを収録した内容を目視確認するデフォルトのプレビューコマンドが両ビデオサーバへ送信された場合、
前記予備系のビデオサーバのＣＰＵが、前記符号化データ伝送手段を介して受信し自らの記憶装置へ書込・記憶された前記圧縮符号化データを自らの記憶装置から読出し、前記同様の読出しバスを経て前記復号装置に入力して復号化したベースバンドビデオ信号を出力する制御を行い、
前記モニタ表示装置は、前記予備系ビデオサーバの前記復号装置から出力されるベースバンドビデオ信号を入力して表示することを特徴とする請求項１記載の番組送出サーバシステム。
【請求項３】
前記番組送出サーバシステムは、
更に主制御装置と、前記主制御装置と両前記ビデオサーバのＣＰＵとの間で情報を伝送する制御情報伝達手段と、前記主制御装置に制御されて両ビデオサーバそれぞれの符号化装置の入力接続先と復号装置の出力接続先とを切り替えるスイッチャ手段とを備え、
前記主制御装置は、前記収録を行う場合、
前記両ビデオサーバの一方を現用系、他方を予備系のサーバとして設定して前記収録を行うマイグレーションコマンドを前記制御情報伝達手段により前記両ビデオサーバへ送信すると共に、
前記スイッチャ手段に対して前記現用系のビデオサーバの復号装置が前記バイパスして出力する前記圧縮符号化データの出力端子の接続先を前記予備系ビデオサーバの符号化装置の入力端子へ接続する制御を行うことにより前記符号化データ伝送手段を形成する
ことを特徴とする請求項１記載の番組送出サーバシステム。
【請求項４】
それぞれが、入力される放送番組のベースバンドビデオ信号を圧縮符号化データに変換する符号化装置と、前記圧縮符号化データを記憶して収録する記憶装置と、前記圧縮符号化データをベースバンドビデオ信号に復号する復号装置と、前記各装置を監視制御するＣＰＵとを有する一方が現用系、他方が予備系となるビデオサーバを備え、各々のビデオサーバが前記記憶装置から読出した前記圧縮符号化データを前記復号して送出する２重系統の番組送出サーバシステムのビデオサーバにおいて、
ビデオサーバは、
前記ベースバンドビデオ信号が圧縮符号化された圧縮符号化データが書込、記憶または読出される記憶装置と、
前記ベースバンドビデオ信号を入力して圧縮符号化データに変換して出力する符号化機能と、外部からの制御により、入力されるデータを圧縮符号化せずそのまま出力する符号化バイパス機能とを備える符号化装置と、
前記圧縮符号化データを入力してベースバンドビデオ信号のベースバンドビデオ信号に復号して出力する復号機能と、外部からの制御により、入力される圧縮符号化データをバイパスして出力する復号バイパス機能とを備える復号装置と、
前記符号化手段から入力される圧縮符号化データを前記記憶装置へ書込データとして出力する書込専用の書込バスと、
前記記憶装置から読出した前記圧縮符号化データを前記復号装置へ出力する読出し専用の読出バスと、
外部からの制御情報入力手段を有し、
自装置が、前記制御情報入力手段により現用ビデオサーバに設定され、上記収録を行う場合、
前記符号化装置が前記ベースバンドビデオ信号を入力して圧縮符号化した圧縮符号化データを前記書込バスを介して前記記憶装置に書込記憶し、
前記書込記憶した前記圧縮符号化データを直ちに前記読み出しバスを介して前記復号装置へ入力すると共に前記復号装置から前記符号化データを復号せずそのまま出力する制御を行い、
一方自装置が、予備ビデオサーバに設定され、上記収録を行う場合、
前記符号化装置が入力される圧縮符号化データをバイパスして前記書込バスを介して前記記憶装置に書込記憶する制御を行うＣＰＵとを
具備することを特徴とする番組送出サーバシステムのビデオサーバ。
【請求項５】
前記符号化装置は、
前記入力されるベースバンドビデオ信号を圧縮符号化する為の符号化入力端子と、入力される前記圧縮符号化データに前記圧縮符号化を行わずバイパスしてそのまま出力するバイパス入力端子とを備え、
前記復号装置は、
前記入力される前記圧縮符号化データを復号したベースバンドビデオ信号を出力する復号出力端子と、前記復号をしないでバイパスされた圧縮符号化データを出力するバイパス出力端子とを備える
ことを特徴とする請求項４記載の番組送出サーバシステムのビデオサーバ。
【請求項６】
それぞれが、入力される放送番組のベースバンドビデオ信号を圧縮符号化データに変換する符号化手段と、前記圧縮符号化データを記憶して収録する記憶装置と、前記圧縮符号化データをベースバンドビデオ信号に復号する復号手段と、前記各装置を監視制御するＣＰＵとを有する一方が現用系、他方が予備系となるビデオサーバと、前記両ビデオサーバの間で前記圧縮符号化データを伝送する符号化データ伝送手段とを備え、各々のビデオサーバが前記記憶装置から読出した前記圧縮符号化データを前記復号して送出する２重系統の番組送出サーバシステムの素材収録方法において、
両ビデオサーバの各前記記憶装置は、前記符号化装置が出力するデータを自らの記憶装置に書込み記憶するデータとして出力する書込み専用の書込バスと、自らの記憶装置から読出されるデータを前記復号装置へ出力する読出し専用の読出バスとに接続され、
現用系のビデオサーバの前記符号化装置は、前記入力されるベースバンドビデオ信号を圧縮符号化した圧縮符号化データを前記書込バスへ出力し、現用系のビデオサーバの記憶装置へ前記書込バスから入力される前記圧縮符号化データを書込・記憶することにより収録し、前記記憶した圧縮符号化データを直ちに読出して前記読出しバスに出力し、
前記現用系の復号手段は、前記読出しバスから出力された圧縮符号化データを復号せずにバイパスして前記符号化データ伝送手段へ出力することにより前記予備系ビデオサーバへ向けて送信し、
前記符号化データ伝送手段から前記圧縮符号化データを受信する前記予備系の符号化装置は、受信した圧縮符号化データをバイパスして前記書込バスへ出力し、
前記予備系の記憶装置は、前記書込バスへ出力された符号化データを入力して書込記憶することにより収録することを特徴とする
番組送出サーバシステムの素材収録方法。
【請求項７】
主制御装置と、スイッチャ手段と、それぞれが、入力される放送番組のコンテンツデータのベースバンドビデオ信号を圧縮符号化データに変換する符号化手段と、前記符号化データを記憶して収録する記憶装置と、前記圧縮符号化データをベースバンドビデオ信号に復号する復号手段とを有する一方が現用系、他方が予備系となるビデオサーバと、制御情報伝達手段とを備え、各々のビデオサーバが前記記憶装置から読出した前記圧縮符号化データを前記復号して送出する２重系統の番組送出サーバシステムの素材収録方法において、
主制御装置は、前記収録を行う場合、
前記両ビデオサーバの一方を現用系、他方を予備系のサーバとして設定して前記収録を行うマイグレーションコマンドを前記制御情報伝達手段により前記両ビデオサーバへ送信すると共に、前記スイッチャ手段に対して前記現用系のビデオサーバの復号装置が前記バイパスして出力する前記圧縮符号化データの出力端子の接続先を前記予備系のビデオサーバの符号化装置の入力端子へ接続する制御を行うことにより現用系と予備系とのビデオサーバの間で圧縮符号化データを伝送する符号化データ伝送手段を形成し、
両ビデオサーバの各前記記憶装置は、前記符号化装置が出力するデータを自らの記憶装置に書込み記憶するデータとして出力する書込み専用の書込バスと、自らの記憶装置から読出されるデータを前記復号装置へ伝送する読出し専用の読出バスとに接続され、
前記現用系のビデオサーバの前記符号化装置は、前記入力されるベースバンドビデオ信号を圧縮符号化データに変換して前記書込バスへ出力し、現用系のビデオサーバの記憶装置は、前記書込バスから入力される前圧縮記符号化データを書込・記憶することにより収録し、前記記憶した圧縮符号化データを直ちに読出して前記読出しバスに出力し、前記現用系のビデオサーバの復号手段は、前記読出しバスから出力された圧縮符号化データをそのままバイパスして前記符号化データ伝送手段へ出力することにより前記予備系のビデオサーバへ向けて送信し、
前記符号化データ伝送手段から前記圧縮符号化データを受信する前記予備系のビデオサーバの符号化装置は、受信した圧縮符号化データをそのままバイパスして前記書込バスへ出力し、
前記予備系のビデオサーバの記憶装置は、前記書込バスへ出力された圧縮符号化データを入力して書込記憶することにより収録することを特徴とする
番組送出サーバシステムの素材収録方法。
【請求項８】
前記番組送出サーバシステムは、
モニタ表示手段で前記放送番組コンテンツの収録結果をオペレータが目視確認する場合、
デフォルトとして前記予備系のビデオサーバの記憶装置へ書込・記憶された圧縮符号化データが、予備系のビデオサーバの前記読出バスを介して前記復号装置に入力され、
前記復号装置が前記入力された圧縮符号化データを復号化したベースバンドビデオ信号を前記モニタ表示手段へ出力することを特徴とする請求項６または７に記載の番組送出サーバシステムの素材収録方法。
【発明の詳細な説明】
【技術分野】
【０００１】
本発明は、放送局で用いる番組送出サーバシステムおよび素材収録方法に関する。
【背景技術】
【０００２】
放送局では、オンエア停止の事故を防ぐため送信系統を２重構成にした冗長化を行っている。放送番組のコンテンツ（素材）を収録してオンエアに備える番組送出サーバシステムも、ビデオサーバが現用系と予備系とに２重化されている。予め現用と、予備系との２つのビデオサーバには、放送番組のベースバンドビデオ信号を圧縮符号化した圧縮符号化データをファイルにした同じコンテンツファイルが記憶蓄積（収録）される。
【０００３】
しかしながら、この様な２重化を行っても両ビデオサーバでコンテンツファイルが正しく収録され、途中で異常画面が発生していないかを調べる為にオンエアに先立ちオペレータが両サーバへ収録されたコンテンツを目視確認しなければならない。
【０００４】
その為には、現用、予備系のビデオサーバに記憶された両方のコンテンツファイルが正しく収録されていること全体を通して確認するために、放送時間の２倍の確認時間が掛かる。その確認時間を節約することを目的として現用系サーバで収録されコンテンツファイルを再生して確認する代わりに、現用系サーバに収録した圧縮符号化データのコンテンツファイルそのまま予備系サーバにファイル転送して書込記憶を済ませるマイグレーションと呼ばれるファイル転送コピーを行う。
【０００５】
そして、予備系サーバが記憶蓄積、即ち収録しているコンテンツファイルを読出し、目視確認することにより異常が無いかを１回の確認で済ませる方法が有る（例えば、特許文献１。）。
【０００６】
図６は、従来のマイグレーションによる番組送出サーバシステムにおける番組収録方法を説明する機能ブロック図である。
【０００７】
図６において従来のマイグレーションを実施する番組送出サーバシステムは、それぞれ現用系、予備系の構成で、ａ系ビデオサーバ１ａ、ｂ系ビデオサーバ１ｂ、スイッチャＯＸａ、ＯＸｂと、入力される複数の放送番組信号のベースバンドビデオ信号についてビデオサーバの出力先を選択して切換るルーティングスイッチャＲＸと、ビデオサーバが収録したコンテンツファイルから復号した所要の放送番組のベースバンドビデオ信号を選択出力するプレビュースイッチャＰＸと、プレビュースイッチャＰＸが出力する映像をモニタするディスプレイＭｄと、マイグレーションを行う場合に現用系と予備系の両ビデオサーバ間でコンテンツファイルの転送データを伝送するファイル転送ネットワークＴｎと、放送番組信号（ベースバンドビデオ信号）の入力、出力、コンテンツファイルのコピー（マイグレーション）等の制御コマンドを入力したり両ビデオサーバ始め番組送出サーバシステムの動作制御、監視をする主制御装置ｍｃと、主制御装置ｍｃとの間でコマンドや応答信号を入出力する制御網ｃｎとを備える。
【０００８】
ａ、ｂ系ビデオサーバは、基本的には同じ構成であり、ルーティングスイッチャＲＸから入力されるベースバンドビデオ信号を圧縮符号化して符号化ビデオデータに変換する符号化装置（エンコーダ、以下、ＥＮＣと略す。）ｅ１〜ｅｎ、圧縮符号化データをバスＢＸから入力し、コンテンツファイルとして記憶する記憶装置Ｓａ、また記憶装置Ｓａから読出したコンテンツファイルの圧縮符号化データをバスＢＸを介して入力し、通常のベースバンドビデオ信号に復号して出力する復号装置（デコーダ、以下、ＤＥＣと省略する）ｄ１〜ｄｑを備えている。
【０００９】
また、ＥＮＣ、ＤＥＣが接続される両サーバのバスＢＸは、記憶装置Ｓａ（または、Ｓｂ）との間の書込と読出しデータが共に伝送される共通バスとなってＥＮＣ、ＤＥＣは、ＣＰＵＣａ（または、Ｃｂ）の制御によりバスＢＸを介して記憶装置Ｓａ（または、Ｓｂ）との間でコンテンツファイルの圧縮符号化データを入出力する。
【００１０】
主制御装置ｍｃから、ａ系を現用系としてマイグレーションをしながら収録するマイグレーションコマンド、例えば、放送番組「ＸＸ」から作成するファイルについてａ系を現用系とし、更に予備系のｂ系へ転送して記憶蓄積する「Ｓｔｏｒｅ  ＸＸ  ａ  ｔｏ  ｂ」が制御網ｃｎを介して各構成へ出力される。
【００１１】
ａ系ビデオサーバ１ａのＣＰＵｃａは、マイグレーションコマンドを受信すると、ルーティングスイッチＲＸで選択された接続先から放送番組「ＸＸ」のベースバンドビデオ信号が現用系のａ系のＥＮＣｅ１へ入力され、そこでベースバンドビデオ信号を圧縮符号化データのファイルにして記憶装置Ｓａへ書き込む制御を行う。
【００１２】
なお、上記説明では、マイグレーションコマンドにどのＥＮＣを入力系統とするかの記載が行われていないが、両サーバのＣＰＵがバスを監視し、未使用中のＥＮＣを割り当てることにより自動的にＥＮＣが割り当てられる。また、予め、ＥＮＣの使用割当をスケジューリングすることにより、当該コマンドにＥＮＣの識別情報を加える等の方法により指定しても良い。
【００１３】
ａ系ビデオサーバ１ａには、ＥＮＣｅ１〜ＥＮＣｅｎが備えられ、そこで例えば、放送番組ＸＸのベースバンドビデオ信号の圧縮符号化データがバスＢＸを介して記憶装置Ｓａへ書き込まれ、例えば、内部名称としてファイルＦａとし記憶収録される。
【００１４】
記憶装置Ｓａに書き込まれたファイルＦａは、保存データ量を少なくするため圧縮符号化されているが、これをベースバンドビデオ信号へ復号して予備系のｂ系のビデオサーバ１ｂに送信して、再符号化すると信号品質が劣化する。
【００１５】
従って、マイグレーション収録をする場合には圧縮符号化データである番組素材データのファイルＦａをそのまま読出して予備系のビデオサーバへ出力する。
【００１６】
即ち、ａ系ビデオサーバのＣＰＵＣａは、記憶装置Ｓａに書込まれたファイルＦａのデータを直ちに読出して出力する、「追いかけ再生」を実施し、記憶装置Ｓａから圧縮符号化データを読出し、ファイルＦａの転送ファイルのデータとしてバスＢＸに出力し、予備系であるｂ系ビデオサーバ１ｂへ、ファイル転送ネットワークＴｎとＩ／ＦＩ１とを介して送信する制御を行う。
【００１７】
Ｉ／ＦＩ１（または、ＩＦＩｎ）は、このマイグレーションされるファイルＦａを伝送するファイル転送ネットワークＴｎを介して入出力するためのインタフェース機能である。例えば、ファイル転送ネットワークＴｎがＴＣＰ−ＩＰ手順を用いるのであれば、読出したコンテンツファイルを例えば、ＦＴＰ手順で送受信するパケット化、カプセリングする処理を行う。
【００１８】
予備系のｂ系ビデオサーバ１ｂでは、ＣＰＵｃｂがバスＢＸを監視し、制御網ｃｎを介して、マイグレーションコマンドを受信すると、Ｉ／ＦＩ１からの入力を待機する。そして、ファイル転送ネットワークＴｎからカプセリングされたファイルＦａを受信すると、ｂ系ビデオサーバ１ｂのＩＦＩ１でカプセリングをほどき、ＥＮＣを通さずにバイパスされた転送ファイルデータをファイルＦｂとしてバスｂｅを介して記憶装置Ｓｂへ書込み収録する。ここで、エラーが発生しなければファイルデータＦａとＦｂとは同一であるので、両方のビデオサーバをオペレータが操作する場合は、元の放送番組名の「ＸＸ」というコンテンツファイル名で収録、管理される。
【００１９】
こうしてマイグレーション処理により記憶、収録されたコンテンツファイルの圧縮符号化データは、主制御装置ｃｎ、または、図示されない外部の自動番組送出制御手段等からの制御により、両ビデオサーバの記憶装置から所定のタイミングで読み出される。そして、それぞれのＤＥＣでベースバンドビデオ信号に復号され、スイッチャＯＸａ、ＯＸｂで選択されて外部へ向けて現用系及び予備系ビデオサーバからオンエア用のベースバンドビデオ信号として送出されることになる。
【００２０】
上記のマイグレーション収録が終了すると、オンエアに先駆けてオペレータは、主制御装置ｃｎのキーボード等の操作入力手段によりプレビューコマンド（例えば、「ｖｉｅｗ：ＸＸ」：ｂ）を入力することにより、ファイルＦｂから復号されたプレビューしたい放送番組「ＸＸ」のベースバンドビデオ信号が、ｂ系ビデオサーバ１ｂから出力され、そしてプレビュースイッチャＰＸを経てディスプレイＭｄから映像を目視確認される。
【００２１】
両系統の記憶、収録が正常で有れば、この映像には、異常が認められないので、正常に予備系へもコピー、蓄積が実施されて収録が完了したと判定され、確認作業が終了する。
【００２２】
もし、異常が確認されると、「ｖｉｅｗ：ＸＸ」：ａ）を入力することによりａ系のビデオサーバ１Ａから同じコンテンツファイルであるファイルＦａを復号したビデオ信号を目視確認してその異常の有無を調べることにより、異常の発生系統がａ系か、ｂ系かを特定する。実際には、この様なファイルコピーでは誤りが発生しないか、発生したとしても自動訂正されるのでオペレータは、１回の確認作業で終了する場合が殆どである。
【００２３】
しかしながら、このマイグレーション方法であると、現用系サーバでは、書込み後直ぐに読み出す「追いかけ再生」処理を行うためＥＮＣ出力の書込記憶処理のみを行う場合に比べ、読出しと送出処理が更に行われるためバスＢＸが２倍以上のデータ伝送量に増えてしまい、負荷が高くなる問題が有った。
【００２４】
その結果、同時に複数の番組編集を行いたい場合にも処理チャネル数が制限されてしまう問題、更には、番組送出に関わる読出し処理も圧迫される問題が生じる。特に、ＤＥＣでは、復号してオンエアする番組信号が連続したデータフローであるベースバンドビデオ信号であることが必要であるが、その安定した復号をする為には、マイグレーションを行う際、現用系サーバのバスＢＸの負荷を高くならないように低く保つ必要がある。
【先行技術文献】
【特許文献】
【００２５】
【特許文献１】特開２００７−７４６８６号公報
【発明の概要】
【発明が解決しようとする課題】
【００２６】
従来、現用系、予備系のビデオサーバにマイグレーション方法を用いてコンテンツを書込記憶すると、データを書込直後に読出す追いかけ再生をするため、記憶装置が接続されているバスの負荷が２倍以上に増える問題があった。本発明は上記問題を解決するためになされたもので、マイグレーション処理を行っても内部バスの過剰な負荷発生を防ぎ、短時間に現用・予備の両系統の書込記憶、及びプレビューを済ますことが可能な冗長系を構成する番組送出サーバシステム、ビデオサーバ、および素材収録方法を提供することを目的とする。
【課題を解決するための手段】
【００２７】
上記目的を達成するために、本発明の番組送出サーバシステムは、それぞれが、入力される放送番組のベースバンドビデオ信号を圧縮符号化データに変換する符号化装置と、前記圧縮符号化データを記憶して収録する記憶装置と、前記圧縮符号化データをベースバンドビデオ信号に復号する復号装置と、前記各装置を監視制御するＣＰＵとを有する一方が現用系、他方が予備系となるビデオサーバを備え、各々のビデオサーバが前記記憶装置から読出した前記圧縮符号化データを前記復号して送出する２重系統の番組送出サーバシステムにおいて、前記両ビデオサーバの間で前記圧縮符号化データを伝送する符号化データ伝送手段と、前記符号化装置が出力するデータを自らの記憶装置に書込み記憶するデータとして伝送する書込み専用の書込バスと、自らの記憶装置から読出されるデータを前記復号装置へ伝送する読出し専用の読出バスと、前記入力されるベースバンドビデオ信号を圧縮符号化した圧縮符号化データに変換して前記書込バスへ出力する前記符号化装置と、自らの記憶装置へ前記書込バスから入力される前記圧縮符号化データを書込・記憶して収録する制御と、前記記憶した圧縮符号化データを直ちに読出して前記読出しバスに出力する制御と、前記読出しバスから前記復号装置に入力する圧縮符号化データを復号せずバイパスして前記符号化データ伝送手段に出力して予備系のビデオサーバに向けて送信する制御とを行うＣＰＵと、前記読出しバスから入力するデータを前記バイパスして前記出力する復号バイパス手段を有する前記復号装置とを備える現用系ビデオサーバと、前記同様の書込バスおよび読出バスと、前記符号化装置に前記符号化データ伝送手段から受信する前記圧縮符号化データを符号化せずバイパスして前記書込バスに出力することにより自らの記憶装置へ書込・記憶して収録する制御とを行うＣＰＵと、前記受信する圧縮符号化データを前記バイパスして前記書込バスに出力する符号化バイパス手段を有する前記符号化装置とを、備える予備系ビデオサーバとを具備することを特徴とする。
【００２８】
また、本発明の番組送出システムのビデオサーバは、それぞれが、入力される放送番組のベースバンドビデオ信号を圧縮符号化データに変換する符号化装置と、前記圧縮符号化データを記憶して収録する記憶装置と、前記圧縮符号化データをベースバンドビデオ信号に復号する復号装置と、前記各装置を監視制御するＣＰＵとを有する一方が現用系、他方が予備系となるビデオサーバを備え、各々のビデオサーバが前記記憶装置から読出した前記圧縮符号化データを前記復号して送出する２重系統の番組送出サーバシステムのビデオサーバにおいて、ビデオサーバは、前記ベースバンドビデオ信号が圧縮符号化された圧縮符号化データが書込、記憶または読出される記憶装置と、前記ベースバンドビデオ信号を入力して圧縮符号化データに変換して出力する符号化機能と、外部からの制御により、入力されるデータを圧縮符号化せずそのまま出力する符号化バイパス機能とを備える符号化装置と、前記圧縮符号化データを入力してベースバンドビデオ信号のベースバンドビデオ信号に復号して出力する復号機能と、外部からの制御により、入力される圧縮符号化データをバイパスして出力する復号バイパス機能とを備える復号装置と、前記符号化手段から入力される圧縮符号化データを前記記憶装置へ書込データとして出力する書込専用の書込バスと、前記記憶装置から読出した前記圧縮符号化データを前記復号装置へ出力する読出し専用の読出バスと、外部からの制御情報入力手段を有し、自装置が、前記制御情報入力手段により現用ビデオサーバに設定され、上記収録を行う場合、前記符号化装置が前記ベースバンドビデオ信号を入力して圧縮符号化した圧縮符号化データを前記書込バスを介して前記記憶装置に書込記憶し、前記書込記憶した前記圧縮符号化データを直ちに前記読み出しバスを介して前記復号装置へ入力すると共に前記復号装置から前記符号化データを復号せずそのまま出力する制御を行い、一方自装置が、予備ビデオサーバに設定され、上記収録を行う場合、前記符号化装置が入力される圧縮符号化データをバイパスして前記書込バスを介して前記記憶装置に書込記憶する制御を行うＣＰＵとを具備することを特徴とする。
【００２９】
更にまた、本発明の番組送出サーバシステムの素材収録方法は、それぞれが、入力される放送番組のベースバンドビデオ信号を圧縮符号化データに変換する符号化手段と、前記圧縮符号化データを記憶して収録する記憶装置と、前記圧縮符号化データをベースバンドビデオ信号に復号する復号手段と、前記各装置を監視制御するＣＰＵとを有する一方が現用系、他方が予備系となるビデオサーバと、前記両ビデオサーバの間で前記圧縮符号化データを伝送する符号化データ伝送手段とを備え、各々のビデオサーバが前記記憶装置から読出した前記圧縮符号化データを前記復号して送出する２重系統の番組送出サーバシステムの素材収録方法において、両ビデオサーバの各前記記憶装置は、前記符号化装置が出力するデータを自らの記憶装置に書込み記憶するデータとして出力する書込み専用の書込バスと、自らの記憶装置から読出されるデータを前記復号装置へ出力する読出し専用の読出バスとに接続され、現用系のビデオサーバの前記符号化装置は、前記入力されるベースバンドビデオ信号を圧縮符号化した圧縮符号化データに変換して前記書込バスへ出力し、現用系のビデオサーバの記憶装置へ前記書込バスから入力される前記圧縮符号化データを書込・記憶することにより収録し、前記記憶した圧縮符号化データを直ちに読出して前記読出しバスに出力し、前記現用系の復号手段は、前記読出しバスから出力された圧縮符号化データを復号せずにバイパスして前記符号化データ伝送手段へ出力することにより前記予備系ビデオサーバへ向けて送信し、前記符号化データ伝送手段から前記圧縮符号化データを受信する前記予備系の符号化装置は、受信した圧縮符号化データをバイパスして前記書込バスへ出力し、前記予備系の記憶装置は、前記書込バスへ出力された符号化データを入力して書込記憶することにより収録することを特徴とする。
【発明の効果】
【００３０】
本発明によれば、放送番組を収録するビデオサーバの記憶装置にコンテンツのデータを書込記憶中にも符号化処理系統に過剰な負荷が発生せず、短時間に現用・予備の両系統の書込記憶、及びプレビューを済ますことが可能な番組送出サーバシステム、ビデオサーバ、および素材収録方法を提供することが出来る。
【図面の簡単な説明】
【００３１】
【図１】本発明の実施例に係わる従来の番組送出サーバシステムにおける記録蓄積方法を説明する機能ブロック図。
【図２】ビデオサーバのマイグレーション時の符号化と復号化処理に関わる動作を説明する機能ブロック図。
【図３】番組送出サーバシステムのマイグレーション処理における動作を説明するフローチャート。
【図４】マイグレーションネットワークがルーティングスイッチャＲＸとプレビュースイッチャＰＸとを用いて構成される場合の番組送出サーバシステムの接続図。
【図５】プレビュースイッチャＰＸを利用してマイグレーションネットワークを構成する番組送出サーバシステムの系統図。
【図６】従来の番組送出サーバシステムにおける記録蓄積方法を説明する機能ブロック図
【発明を実施するための形態】
【００３２】
以下、図面を参照して本発明の実施例を説明する。
【実施例】
【００３３】
図１は、本発明の実施例に関わる番組送出サーバシステムのコンテンツの記録蓄積方法を説明する機能ブロック図である。
【００３４】
図１においてマイグレーションを実施する従来の番組送出サーバシステムは、それぞれ現用系、予備系の構成で、Ａ系ビデオサーバ１Ａ、Ｂ系ビデオサーバ１Ｂ、スイッチャＯＸａ、ＯＸｂと、入力される複数の放送番組のベースバンドビデオ信号についてビデオサーバへの出力先を選択して切り替えるルーティングスイッチャＲＸと、ビデオサーバから出力されるベースバンドビデオ信号を選択出力するプレビュースイッチャＰＸと、プレビュースイッチャＰＸが出力するビデオ信号を入力してモニタ表示するディスプレイＭｄと、マイグレーションを行う場合に現用系と予備系との両サーバ間で圧縮符号化データを伝送するマイグレーションネットワークＭＮと、コンテンツの入力、出力、コピー（マイグレーション）等の制御コマンドを入力したり両ビデオサーバ始め番組送出サーバシステムの動作制御、監視をする主制御装置ｍｃと、主制御装置ｍｃとの間で番組送出システムを構成する機器、装置の動作を制御するコマンドやその応答信号等を伝送する制御網ｃｎとを備える。
【００３５】
ここでベースバンドビデオ信号は、Ａ／Ｄ変換された非圧縮映像信号に音声/字幕等がエンベッデッドされている信号を意味する。また、ビデオサーバの記憶装置Ｓａ、Ｓｂに記憶されるデータは、ベースバンドビデオ信号を圧縮符号化した圧縮符号化データをコンテンツファイルとして収録（記憶蓄積）される。
【００３６】
制御網ｃｎは、図示しないが主制御装置ｍｃ、ビデオサーバ１Ａ、１ＢのＣＰＵＣａ、Ｃｂ、また各スイッチャ等が備える通信インタフェースを介してコマンドや応答信号等を伝送する制御情報伝送手段である。
【００３７】
また、主制御装置ｍｃは、キーボードや、マウス、モニタ装置等の入出力手段を備え、予め設定された動作プログラムでシステムの動作制御を行う他、オペレータが入出力手段により、コマンドやデータの入力、また動作モニタをすることが出来る。
【００３８】
各ビデオサーバ１Ａ、１Ｂは、主制御装置ｍｃから上記制御網ｃｎを介して、現用系、または予備系となるかの設定が行われ、また、図示されない入出力手段を備えることにより予め一方が現用系、他方が予備系であるかの設定をされても良い。
【００３９】
システム動作については、従来例と類似、共通する部分については、符号等の読み替えにより容易に推測できるので重複を避けるため説明を省略する。
【００４０】
Ａ、Ｂ系ビデオサーバは、基本的には同じ構成であり、ルーティングスイッチャＲＸから入力されるベースバンドビデオ信号を圧縮符号化データに変換する符号化装置（エンコーダ、以下ＥＮＣと略す。）Ｅ１〜Ｅｍ、圧縮符号化データをバスＢｅを介して入力して記憶する記憶装置Ｓａ、また記憶装置Ｓａから読出した符号化データをバスＢｄを介して入力し、ベースバンドビデオ信号に復号して出力する復号装置（以下、ＤＥＣと省略する）Ｄ１〜Ｄｑを備えている。
【００４１】
両サーバのバスＢｅとバスＢｄは、それぞれが、符号化、書込に関わるＥＮＣを接続・収容するバス、と読出し・復号化に関わるＤＥＣを収容するバスである。そしてＣＰＵＣａ（または、Ｃｂ）は、各バスに接続されるＥＮＣ、ＤＥＣの動作を共通して監視、制御出来るように統合接続されている。
【００４２】
従来のビデオサーバでは、ＥＮＣとＤＥＣが共通のバスＢＸに接続されているが、本発明の実施例のビデオサーバは、記憶装置Ｓａ（またはＳｂ）へのデータ書込バスＢｅに複数のＥＮＣ出力が接続され、読出しバスに複数のＤＥＣが接続されて、書込バスと読出しバスとが分離した構成をとる。
【００４３】
圧縮符号化を行う場合、映像により圧縮率が変動する圧縮符号化データは、離散的なタイミングで記憶装置Ｓａ（または、Ｓｂ）に書込まれる。その結果、従来のビデオサーバで実効される追いかけ再生は、書込、読出しのタイミング調整をとりながら行わねばならず、ＣＰＵが行うデータのバス入出力に関わるバッファ制御動作も複雑になり、先述の通りバスの負荷が２倍以上になる。
【００４４】
これに比べ分離したバス構造の場合、例えば、ベースバンドビデオ信号から１ＧＯＰ（Ｇｒｏｕｐ  ｏｆ  Ｐｉｃｔｕｒｅｓ）を圧縮符号化して書き込むのに要する時間以上遅延したタイミング以降、一定間隔で記憶しているデータを記憶装置Ｓａから読出して予備系のビデオサーバへ送出すれば良い。
【００４５】
またＤＥＣへの出力についてもオーバフローしない様な単純なバッファ処理のみで済ませることが出来、一定のペースで安定な復号が可能になり連続したビット列であるベースバンドビデオ信号もコンスタントに出力出来る。
【００４６】
ビデオサーバ１Ａ、１ＢのＣＰＵＣａ、Ｃｂは、制御網ｃｎとの間で、図示されない通信インタフェースによりサーバの動作監視に関わるデータや情報を入出力し、例えば、主制御装置ｍｃからのコマンドによりマイグレーション処理を実効している。
【００４７】
ビデオサーバ１Ａ、１Ｂのどちらが現用系となるかは、主制御装置ｍｃからのマスタ（Ｍ：現用）／スレーブ（Ｓ：予備）設定により決められる。各ビデオサーバ１Ａ、１ＢのＣＰＵＣａ、Ｃｂは、制御網ｃｎからこの設定を受信してビデオサーバの現用系か、予備系であるかの動作を実行する制御を行う。
【００４８】
Ａ、Ｂ両系ともＤＥＣ  Ｄ１〜ＤＥＣ  Ｄｍは、オンエア（ＯＡ）の為に復号されたベースバンドビデオ信号が出力され、オンエアする信号を選択するスイッチャＯＸａ、ＯＸｂへ接続される。
【００４９】
また、ＤＥＣ  Ｄｎ〜ＤＥＣ  Ｄｑは、従来、プレビュー用に復号したコンテンツのベースバンドビデオ信号を出力するもので、その復号された信号はプレビュースイッチャＰＸへ接続される。主制御装置ｍｃからのプレビューコマンドに従って、ＤＥＣがアクティベートされ、プレビュースイッチャＰＸはその接続先ＤＥＣ出力をディスプレイＭｄに接続する。
【００５０】
本発明の実施例のビデオサーバ１Ａ、１Ｂでは、これらのＤＥＣ  Ｄｎ〜ＤＥＣ  Ｄｑは、復号信号（ベースバンドビデオ信号）を出力する端子に加えて記憶装置Ｓａ（Ｓｂ）から読み出される圧縮符号化データをバスＢｄを介してそのまま復号処理せず転送ファイルデータとして出力するバイパスするバイパス出力端子を備えており、その出力端子から出力される信号はマイグレーションネットワークＭＮに入力されている。
【００５１】
また、ビデオサーバ１Ａ、１Ｂでは、ＥＮＣ  Ｅ１〜Ｅｍも入力端子が従来と同様にベースバンドビデオ信号を入力する端子に加えて、自分へ向けて入力されたファイル転送データ（圧縮符号化データ）をそのまま符号化処理しないでバスＢｅを介して記憶装置Ｓｂ（Ｓａ）へ入力するためのバイパス入力端子を備えている。
【００５２】
これらのＥＮＣの一部は、そのバイパス入力端子がマイグレーションネットワークＭＮに接続され、例えば、ビデオサーバ１ＢのＥＮＣＥ１はマイグレーションネットワークＭＮを介して現用系のビデオサーバ１Ａの例えば、ＤＥＣＤｎからの圧縮符号化データを入力する。
【００５３】
図２は、本実施例の番組送出サーバシステムのビデオサーバのマイグレーション時の符号化と復号化処理に関わる動作を説明する機能ブロック図である。
【００５４】
図３は、番組送出サーバシステムのマイグレーション処理における動作を説明するフローチャートである。以下、図１〜図３を参照して番組送出サーバシステムのマイグレーションを利用した番組収録方法の処理手順を説明する。
【００５５】
図２において、ＤＥＣは、圧縮符号化データをベースバンドビデオ信号に復号してスイッチャとの入出力が可能なインタフェースでベースバンド出力端子Ｐ１から出力する復号部ｄｅと、圧縮符号化データである転送ファイルデータをＩ／Ｏ（入出力インタフェース）１１でマイグレーションネットワークとの入出力が可能なインタフェースにして、バイパス端子Ｐ２から出力する機能を備えている。
【００５６】
また、ＥＮＣは、ルーティングスイッチャからベースバンド入力端子Ｐ３から入力するベースバンドビデオ信号を符号部ｅｄが圧縮符号化した圧縮符号化データにしてバスＢｅを介して記憶装置へ向けて出力するとともにマイグレーションネットワークＭＮから転送ファイルデータをバイパス入力端子Ｐ４で入力する機能を備えている。
【００５７】
図２において、現用系であるＡ系ビデオサーバ１Ａでは、図１の制御網ｃｎから図示されない通信インタフェースを経て主制御装置ｍｃから送信された番組送出サーバシステムにおける現用設定のコマンドを受信したＣＰＵＣａは、ＤＥＣに現用系、即ち、マスター（Ｍ）となる指定を行う。またＢ系のビデオサーバ１Ｂでは、ＣＰＵＣｂが予備系となるコマンドを受信しＤＥＣに予備系、即ちスレーブ（Ｓ）となる指定をする（図３のステップｓ１）。
【００５８】
そして、主制御装置ｍｃから同様にマイグレーションコマンド、例えば、「Ｓｔｏｒｅ  ＸＸ  ＡｔｏＢ」をビデオサーバ１Ａ、１Ｂが受信すると（ステップｓ２）、放送番組「ＸＸ」のマイグレーション収録を開始する。即ち、現用系のＡ系ビデオサーバ１Ａでは、ＣＰＵＣａが、図１のルーティングスイッチャから入力される放送番組「ＸＸ」のベースバンドビデオ信号を圧縮符号化データに変換し、書き込みＢｅを経由してバス記憶装置Ｓａに入力して書込記憶を開始する（ステップｓ３）。
【００５９】
また、予備系のＢ系ビデオサーバ１Ｂでは、ＣＰＵＣｂにより、Ｉ／Ｏ１１をアクティベート（オン）し、マイグレーションネットワークＭＮから入力される圧縮符号化データをＥＮＣの符号部１４で符号処理を行なわないようバイパスしてバスＢｅへ出力する準備をし（ステップｓ４）、入力されるコンテンツデータを待つ。
【００６０】
そしてＡ系ビデオサーバ１ＡのＣＰＵＣａは、書込記憶処理が開始されると、続いて現用系サーバの記憶装置Ｓａから、放送番組「ＸＸ」の圧縮符号化データのコンテンツファイルＦａをバスＢｄから読出し、ここでは、ＤＥＣＤｎのＩ／Ｏ１１をオンにしてマイグレーションネットワークＭＮに出力する（ステップｓ５）。
【００６１】
Ｉ／Ｏ１１は、マイグレーションネットワークＭＮとの間の信号入出力インタフェースであり、マイグレーションネットワークＭＮがＩＰ網であれば、入力するコンテンツファイル、即ち圧縮符号化データをネットワークへ出力するカプセリング処理を行い、例えば、ＦＴＰ手順によりファイル転送を行う。
【００６２】
Ａ系、Ｂ系のビデオサーバ１Ａ、１Ｂでマイグレーションに用いられるＤＥＣＤｎ，ＥＮＣＥ１のＩ／Ｏ１１のアクティベートは、予め、オペレータによってＤＥＣＤｎ，ＥＮＣＥ１のアドレスが指定され、マイグレーションコマンドに付加されて両ビデオサーバへ通知される。各ビデオサーバのＣＰＵは、このアドレスを判読してＩ／Ｏ１１に書き込むことによりマイグレーションネットワークＭＮを介してＥＮＣＥ１とＤＥＣＤｎとの間の通信接続、即ちファイル転送が可能になる。
【００６３】
また、別の方法として、両ビデオサーバのＣＰＵＣａ、Ｃｂにより空き状態のＤＥＣＤｎとＥＮＣＥ１が探し出され、その識別情報によりそれらのＩ／Ｏ１１がＣＰＵＣａ、Ｃｂにより指定される方法を採っても良い。
【００６４】
そして、マイグレーションネットワークＭＮを経て指定された現用系のＡ系ビデオサーバ１ＡのＤＥＣＤｎから予備系のＢ系ビデオサーバ１ＢのＥＮＣＥ１のＩ／Ｏ１１へカプセル化されたコンテンツファイルＦａが入力される（ステップｓ５）。
【００６５】
Ｂ系ビデオサーバ１ＢのＥＮＣＥ１のＩ／Ｏ１１は、ファイル転送により入力されたファイルＦａのデータのカプセリングをほどいて転送ファイルデータを元の圧縮符号化データに戻す。そして、圧縮符号化データをＥＮＣＥ１の符号部１４をバイパスしてバスＢｅへ出力する（ステップｓ７）。
【００６６】
バスＢｅを監視しているＣＰＵＣｂは、バスＢｅへ入力される圧縮符号化データを再び予備系の記憶装置ＳｂへファイルＦｂとして書込み記憶する制御を行う（ステップｓ８）。両ビデオサーバに書き込み記憶された圧縮符号化データは、コンテンツファイルＸＸとして収録されるなど以降の処理は、従来の場合と同様である。
【００６７】
例えば、収録内容をプレビュー（目視確認）するデフォルト動作は、予備系ビデオサーバ１Ｂに記憶されたファイルＦｂが、例えば主制御装置ｍｃからのプレビューコマンド等により記憶装置Ｓｂから読出され復号された放送番組「ＸＸ」のベースバンドビデオ信号がプレビュースイッチャＰＸを経てディスプレイＭｄに入力され、その表示映像がオペレータによりプレビューされる。
【００６８】
以上のマイグレーション処理による冗長化素材送出サーバシステムの素材収録方法は、書込バスと読出しバスと分離したバス構成を有することにより前述の様に現用系のビデオサーバ１Ａの符号化処理系統に負担を与えることが無い。
【００６９】
予備系記憶装置Ｓｂに書込記憶されたコンテンツファイルＸＸ、即ち圧縮符号化データが正常か否かを即時に確認出来るよう予備系記憶装置Ｓｂのデフォルトが追いかけ再生に設定されている場合、ＣＰＵＣｂは、ＤＥＣを収容するバスＢｄを介して予備系であるＢ系ビデオサーバのＤＥＣＤｎが圧縮符号化データの復号処理を開始する。
【００７０】
この場合、圧縮符号化データの読出しは、バスＢｄを介して行われるので予備系においても書込処理中のＥＮＣを収容しているバスＢｅと独立した処理になり、バスＢｅに負担を掛けず、符号化側、復号化側で負荷が分散してプレビュー処理も実施される。
【００７１】
現用系のビデオサーバにおいても、記憶蓄積データを即座に目視確認するよう追いかけ再生が設定されていても、ＥＮＣ収容とＤＥＣ収容とを別のバスで行うことにより、前述のように一旦収録を終了後改めて確認する場合と同様に符号化側、また、復号側のバスでも負担にならない。
【００７２】
本発明は、上記の主旨の範囲内で、構成、組合せ、処理手順が変更されるものであっても適用される。
【００７３】
例えば、図２におけるマイグレーションでは、現用系と予備系のビデオサーバとをＩＰ網に依るマイグレーションネットワークにより接続しているが、ネットワークを用いずに直接信号線を接続しても良い。
【００７４】
即ち、マイグレーションするＤＥＣとＥＮＣとの接続先を予め決めておき、例えば、ＤＥＣＤｎのバイパス出力端子Ｐ２とＥＮＣＥ１のＰ４とを信号線となる渡りケーブルで固定接続しておくもので有っても良い。この場合、マイグレーションを行わない通常の書込や読出しを行う場合、ＤＥＣＤｎのＰ２、ＥＮＣＥ１のＰ４は、ＣＰＵＣａ、ＣｂによりそれぞれＩ／Ｏ１１がオフ（切断）に設定されるので渡りケーブルにより信号は伝送されない。
【００７５】
また、図４は、マイグレーションネットワークがルーティングスイッチャＲＸとプレビュースイッチャＰＸとを用いて構成される場合の番組送出サーバシステムの接続図である。
【００７６】
即ち、図４において現用系のＡ系ビデオサーバ１Ａの記憶装置Ｓａからバイパスされた圧縮符号化データは、プレビュースイッチャＰＸの入力端子へ接続され、その出力がルーティングスイッチャＲＸの入力端子へ接続される。そして、その選択出力が、予備系であるＢ系ビデオサーバ１ＢのＥＮＣＥｎへ向けて出力される。
【００７７】
これらのスイッチャの接続先設定は、マイグレーションコマンドの送信に合わせて主制御装置ｍｃから行われる。
【００７８】
この場合、図２の場合と異なり、Ａ系ビデオサーバ１Ａ及びＢ系ビデオサーバ１ＢのＤＥＣの出力端子、または、ＥＮＣの入力端子は１つである。そして、ＤＥＣ、ＥＮＣの内部では、出力端子、または入力端子を流れる信号種がベースバンドビデオ信号か、バイパスした符号化ビデオ信号であるかをＣＰＵＣａ、ＣｂのＭ／Ｓ（マスタ／スレーブ）指定に従って切り替えるスイッチＳｏ、Ｓｉが設けられている。
【００７９】
主制御装置ｍｃからのマイグレーションコマンドを受信した各ビデオサーバのＣＰＵは、自分が現用系、即ち、マスタで有る場合は、ＤＥＣのＳｏを符号化ビデオ信号をバイパスして出力し、自分が予備系、スレーブで有る場合は、ＥＮＣのＳｉを同様にバイパスして予備系の記憶装置Ｓｂへ出力する様にスイッチＳｏを設定する。
【００８０】
また、ＥＮＣ、ＤＥＣには、各スイッチャＰＸ、ＲＸのルートを経由するベースバンドビデオ信号と同様に圧縮符号化データが伝送出来るようにするインタフェース回路としてＩ／Ｏ１１が設けられている。
【００８１】
この方法では、マイグレーションネットワークＭＮを放送局内でデジタル素材信号を伝送するネットワークを利用して実現でき、ＥＮＣ、ＤＥＣの選択の自由度が高く取れる利点が有る。
【００８２】
図５は、プレビュースイッチャＰＸを利用してマイグレーションネットワークを構成する番組送出サーバシステムの系統図である。
【００８３】
図５のシステム構成は、図２、図４に示される構成を折衷した構成である。動作詳細は、図４における例から容易に推測出来るので説明は省略するが、図４におけるＥＮＣ、ＤＥＣの各スイッチＳｉ、Ｓｏと、ルーティングスイッチャＲＸとを用いない構成にしている。そしてプレビュースイッチャＰＸの切替機能を利用して現用系のＡ系ビデオサーバ１ＡのＤＥＣのバイパス出力端子から出力される圧縮符号化データを予備系のＢ系ビデオサーバ１ＢのＥＮＣのバイパス入力端子へ供給している。
【００８４】
図４に示す方法に比べ、装置構成が単純になる利点があるが、ルーティングスイッチを用いないので、接続先となる予備系のビデオサーバでは、複数のＤＥＣのうちからマイグレーションに用いるＤＥＣを予め設定しておく必要がある。
【符号の説明】
【００８５】
１Ａ、１Ｂ  Ａ系ビデオサーバ、Ｂ系ビデオサーバ
１１  Ｉ／Ｏ（入出力インタフェース）
１２  復号部
１４  符号部
ＯＸａ、ＯＸｂ  オンエア（ＯＡ）スイッチャ
Ｂｅ  書込バス
Ｂｄ  読出しバス
Ｆａ、Ｆｂ  ファイル
ＭＮ  マイグレーションネットワーク
ＲＸ  ルーティングスイッチャ
ＰＸ  プレビュースイッチャ
Ｍｄ  ディスプレイ
ＭＮ  マイグレーションネットワーク
ｍｃ  主制御装置
Ｃａ，Ｃｂ  ＣＰＵ
ｃｎ  制御網
ｄｅ  復号部
ｅｄ  符号部
Ｄ１〜Ｄｑ  ＤＥＣ（復号装置、デコーダ）
Ｅ１〜Ｅｎ  ＥＮＣ（符号化装置、エンコーダ）
Ｓａ、Ｓｂ  記憶装置
Ｓｉ，Ｓｏ  スイッチ
【図１】
2011029937.tif 000003
【図２】
2011029937.tif 000004
【図３】
2011029937.tif 000005
【図４】
2011029937.tif 000006
【図５】
2011029937.tif 000007
【図６】
2011029937.tif 000008